(57)【特許請求の範囲】
【請求項１】
電池セルと、
前記電池セルに取り付けられたサーミスタと、
前記電池セルの前記サーミスタが取り付けられた取付面と対向して設けられ、前記取付面を覆うカバーと、を備えた電池モジュールであって、
前記カバーが取り付けられた際に前記サーミスタを視認することができる視認部を前記カバーは有し、
前記視認部は、前記カバーを貫通する確認孔であり、
前記カバーは、前記電池セルから排出される気体の流路を区画する流路区画部と、前記電池セルの端子が収容される端子収容領域を区画する収容領域区画部とを有し、
前記サーミスタは、前記流路と前記端子収容領域との間の領域に設けられ、
前記確認孔は、前記流路区画部と前記収容領域区画部との間に設けられている電池モジュール。
【請求項２】
電池セルと、
前記電池セルに取り付けられたサーミスタと、
前記電池セルの前記サーミスタが取り付けられた取付面と対向して設けられ、前記取付面を覆うカバーと、を備えた電池モジュールであって、
前記カバーが取り付けられた際に前記サーミスタを視認することができる視認部を前記カバーは有し、
前記カバーには、前記サーミスタを前記電池セルに押さえつける押さえ部が設けられている電池モジュール。
【請求項３】
電池セルと、
前記電池セルに取り付けられたサーミスタと、
前記電池セルの前記サーミスタが取り付けられた取付面と対向して設けられ、前記取付面を覆うカバーと、を備えた電池モジュールであって、
前記カバーが取り付けられた際に前記サーミスタを視認することができる視認部を前記カバーは有し、
前記サーミスタが接触する位置決め面を有するとともに、前記電池セルを保持する電池ホルダを備え、
前記視認部は、前記位置決め面と前記サーミスタとの接触部を視認することができる位置に設けられており、
前記視認部は、前記カバーを貫通する確認孔であり、
前記電池ホルダは、前記確認孔の縁に係止して前記カバーの位置ずれを抑止する係止爪を有する電池モジュール。
【発明の詳細な説明】
【技術分野】
【０００１】
本発明は、電池セルにサーミスタを取り付けた電池モジュールに関する。
【背景技術】
【０００２】
複数の電池セルを有する電池モジュールには、電池セルの温度を検出するためのサーミスタが設けられている（例えば、特許文献１参照）。
特許文献１に記載の二次電池装置では、複数の電池セルを並列接続したセルユニットがセンターケース内に収容されている。複数の電池セルのうち、最も温度が高くなる位置に設けられた電池セル及び最も温度が低くなる位置に設けられた電池セルには、サーミスタが設けられている。センターケースの側壁において、サーミスタが取り付けられる電池セルと対向する側壁内面には、細長い帯状の溝が形成されている。サーミスタは、溝内に収容されている。
【先行技術文献】
【特許文献】
【０００３】
【特許文献１】特開２０１２−３８４６８号公報
【発明の概要】
【発明が解決しようとする課題】
【０００４】
ところで、サーミスタが位置ずれした状態で電池セルに取り付けられている場合など、サーミスタが適切に取り付けられていない場合、電池セルの温度を正しく計測できない。また、二次電池装置に振動が加わると、サーミスタが溝から抜け出すおそれがある。このため、サーミスタを電池セルに取り付ける際に、サーミスタの取付状態を確認することが望まれている。
【０００５】
本発明の目的は、サーミスタの取付状態を確認することができる電池モジュールを提供することにある。
【課題を解決するための手段】
【０００６】
上記課題を解決する電池モジュールは、電池セルと、前記電池セルに取り付けられたサーミスタと、前記電池セルの前記サーミスタが取り付けられた取付面と対向して設けられ、前記取付面を覆うカバーと、を備えた電池モジュールであって、前記カバーが取り付けられた際に前記サーミスタを視認することができる視認部を前記カバーは有する。
【０００７】
これによれば、電池セルにサーミスタを取り付けた後に、視認部からサーミスタの取付状態を確認することができる。サーミスタがカバーによって覆われていても、視認部からサーミスタの取付状態を確認することができるため、サーミスタが位置ずれした状態で取り付けられている場合には、カバーを外してサーミスタを再度取り付けることができる。このため、サーミスタが位置ずれした状態で取り付けられることが抑制され、サーミスタが電池セルから外れにくい。
【０００８】
上記電池モジュールについて、前記サーミスタが接触する位置決め面を有するとともに、前記電池セルを保持する電池ホルダを備え、前記視認部は、前記位置決め面と前記サーミスタとの接触部を視認することができる位置に設けられていることが好ましい。これによれば、位置決め面とサーミスタとの接触状態を確認することで、サーミスタの取付状態を確認することができる。このため、サーミスタの取付状態を確認しやすい。
【０００９】
上記電池モジュールについて、前記視認部は、前記位置決め面と前記サーミスタとの接触部と対向する位置に設けられていることが好ましい。これによれば、サーミスタの取付状態を確認しやすい。
【００１０】
上記電池モジュールについて、前記視認部は、前記カバーを貫通する確認孔であり、前記電池ホルダは、前記確認孔の縁に係止して前記カバーの位置ずれを抑止する係止爪を有することが好ましい。これによれば、カバーの位置ずれを抑止することができる。
【００１１】
上記電池モジュールについて、前記視認部は、前記カバーを貫通する確認孔であり、前記カバーは、前記電池セルから排出される気体の流路を区画する流路区画部と、前記電池セルの端子が収容される端子収容領域を区画する収容領域区画部とを有し、前記サーミスタは、前記流路と前記端子収容領域との間の領域に設けられ、前記確認孔は、前記流路区画部と前記収容領域区画部との間に設けられていることが好ましい。
【００１２】
これによれば、確認孔は、流路及び端子収容領域と連通しない。したがって、電池セルから排出される気体が確認孔から流路外に漏れだしたり、確認孔から流路外に漏れだしたり、確認孔から端子収容領域に異物が侵入し、電池セルが短絡することが抑制される。
【００１３】
上記電池モジュールについて、前記カバーには、前記サーミスタを前記電池セルに押さえつける押さえ部が設けられていることが好ましい。これによれば、カバーによってサーミスタの位置ずれを抑制することができる。
【発明の効果】
【００１４】
本発明によれば、サーミスタの取付状態を確認することができる。
【図面の簡単な説明】
【００１５】
【図１】実施形態の電池モジュールを示す斜視図。
【図２】実施形態の電池モジュールを示す図１の２−２線断面図。
【図３】（ａ）は実施形態の第１電池ホルダを示す斜視図、（ｂ）は実施形態の第２電池ホルダを示す斜視図。
【図４】実施形態の係止爪を拡大して示す一部破断斜視図。
【図５】実施形態のガイド部材を拡大して示す一部破断斜視図。
【図６】実施形態のカバーを示す斜視図。
【図７】実施形態のサーミスタの取付態様を示す一部破断斜視図。
【図８】実施形態の確認孔とサーミスタとの位置関係を模式的に示す図。
【発明を実施するための形態】
【００１６】
以下、電池モジュールの一実施形態について説明する。
図１及び図２に示すように、電池モジュール１０は、複数の電池セル１１を有している。各電池セル１１は、個別の電池ホルダ２０，４０に保持されている。本実施形態では、第１電池ホルダ２０に保持された電池セル１１と、第２電池ホルダ４０に保持された電池セル１１とが交互に並設されている。複数の電池セル１１は、電池セル１１の並設方向の両側に設けられたエンドプレート１８，１９によって挟持されている。
【００１７】
電池セル１１（例えば、リチウムイオン二次電池や、ニッケル水素蓄電池）は、ケース１２を有している。ケース１２には、電極組立体１３が収容されている。ケース１２は、電極組立体１３を収容する有底箱状のケース本体１４と、ケース本体１４の開口を閉塞する矩形板状の蓋１５とから構成されている。蓋１５には、蓋１５の厚み方向に突出する２つの端子１６（正極端子及び負極端子）が設けられている。また、蓋１５において、２つの端子１６の間には、ケース１２の内圧が規定圧力を超えたときに開放される圧力開放弁１７が設けられている。なお、この「規定圧力」は、ケース１２の内圧が高まったときに、ケース１２が破損する前に圧力開放弁１７が破断するような圧力に設定される。
【００１８】
次に、第１電池ホルダ２０及び第２電池ホルダ４０について説明する。まず、第１電池ホルダ２０と第２電池ホルダ４０の共通部分について説明する。
図３（ａ）及び図３（ｂ）に示すように、各電池ホルダ２０，４０は、矩形平板状の第１被覆壁２１を有している。第１被覆壁２１の長手方向両端には、第１被覆壁２１の厚み方向に延びる矩形平板状の第２被覆壁２２及び第３被覆壁２３が設けられている。第１被覆壁２１、第２被覆壁２２及び第３被覆壁２３に囲まれる領域は、電池セル１１が収容される収容部Ｓとなる。第２被覆壁２２の長手方向第１端部２２ａ（第１被覆壁２１が設けられる端部とは反対側の端部）と、第３被覆壁２３の長手方向第１端部２３ａ（第１被覆壁２１が設けられる端部とは反対側の端部）には、各被覆壁２２，２３の短手方向第１端部２２ｃ，２３ｃの間で延びる矩形平板状の第４被覆壁２４が設けられている。第４被覆壁２４は、厚み方向が被覆壁２２，２３の短手方向と一致し、長手方向が第２被覆壁２２と第３被覆壁２３の対向方向に一致する。そして、第４被覆壁２４の厚み方向及び長手方向に直交する方向が、第４被覆壁２４の短手方向となる。
【００１９】
また、第４被覆壁２４の長手方向両端における第４被覆壁２４の短手方向の一端面上には、Ｕ字状をなすとともに、第４被覆壁２４の厚み方向に開口する端子収容部２５がそれぞれ設けられており、各端子収容部２５は、第２被覆壁２２及び第３被覆壁２３に連設されている。端子収容部２５の周囲からは、壁部２５ａが立設している。
【００２０】
第４被覆壁２４の短手方向の一端面上には、第２被覆壁２２に連設された端子収容部２５と隣り合って四角柱状の第１柱部材２６が設けられている。また、第４被覆壁２４の短手方向の一端面上には、第３被覆壁２３に連設された端子収容部２５と隣り合って四角柱状の第２柱部材２７が設けられている。各柱部材２６，２７の軸は、被覆壁２２，２３の短手方向に延びている。各柱部材２６，２７には、挿通孔２６ａ，２７ａが各柱部材２６，２７の軸方向に貫通して設けられている。
【００２１】
第２被覆壁２２の長手方向第１端部２２ａ及び第３被覆壁２３の長手方向第１端部２３ａには、各被覆壁２２，２３と連設され、各被覆壁２２，２３の長手方向に延びる矩形平板状の突出壁２８が設けられている。各被覆壁２２，２３に連設された突出壁２８の互いに対向する面には、突出壁２８の厚み方向に突出する凸部２９が設けられている。
【００２２】
第２被覆壁２２の長手方向第２端部２２ｂ及び第３被覆壁２３の長手方向第２端部２３ｂには、四角柱状の脚部３０が設けられている。脚部３０の軸は、被覆壁２２，２３の短手方向に延びている。脚部３０には、挿通孔３０ａが脚部３０の軸方向に貫通して設けられている。
【００２３】
次に、各電池ホルダ２０，４０の異なる部分について説明する。
図３（ａ）に示すように、第１電池ホルダ２０は、各柱部材２６，２７から収容部Ｓとは反対方向に向けて突出する係止爪３１，３２を有している。係止爪３１，３２は、第１柱部材２６と第２柱部材２７のそれぞれに設けられている。第１柱部材２６に設けられた第１係止爪３１と、第２柱部材２７に設けられた第２係止爪３２とは、各柱部材２６，２７の軸方向に若干ずれて位置している。
【００２４】
図４に示すように、係止爪３１，３２は、柱部材２６，２７から突出する板状の突出部３３と、突出部３３の先端に設けられた返し部３４とを有している。返し部３４は、三角板状であり、先端に向かうにつれて、換言すれば、突出部３３から離間するにつれて先細っていく。
【００２５】
図３（ｂ）に示すように、第２電池ホルダ４０は、枠状のガイド部材４１を有している。ガイド部材４１は、第４被覆壁２４から第１柱部材２６に沿って延びている。
図５に示すように、ガイド部材４１は、第４被覆壁２４に設けられた板状の基部４２を有している。基部４２からは、板状の第１ガイド部４３が第１柱部材２６に沿って延びている。第１ガイド部４３は、Ｌ字状であり、第１柱部材２６と連設されている。基部４２からは、第１ガイド部４３と間隔を空けて設けられた板状の第２ガイド部４４が第１ガイド部４３と平行に延びている。
【００２６】
図２に示すように、電池セル１１の外面には、電池セル１１の温度を検出するサーミスタ５１が取り付けられている。サーミスタ５１は、蓋１５の厚み方向の面に取り付けられている。したがって、本実施形態のサーミスタ５１が取り付けられる取付面１５ａは、蓋１５の厚み方向の面のうち、電池セル１１の外部に位置する面となる。サーミスタ５１は、ガイド部材４１の枠内に設けられている。サーミスタ５１を取り付けるときには、ガイド部材４１の枠を区画する基部４２の面である位置決め面４５にサーミスタ５１を接触させて位置決めを行う。
【００２７】
図１に示すように、電池モジュール１０はカバー６１を有している。カバー６１は、例えば、電池セル１１の端子１６などに異物が付着することなどを目的として設けられている。カバー６１は、突出壁２８の間に配設されている。
【００２８】
図６に示すように、カバー６１は、矩形板状の本体６２を有している。本体６２の短手方向の両端部には本体６２の厚み方向に立設する板状の立設部６３が設けられている。立設部６３は、本体６２の長手方向の全体に亘って延びている。
【００２９】
本体６２の厚み方向の面のうち、立設部６３が設けられた面とは異なる面には、本体６２の短手方向の中央によって矩形平板状の第１区画壁６４と第２区画壁６５とが設けられている。区画壁６４，６５は、本体６２の短手方向に間隔を空けて設けられており、本体６２の長手方向全体に亘って延びている。
【００３０】
本体６２には、第１区画壁６４に沿って厚み方向に貫通する複数の係止孔６６〜６８が設けられている。具体的にいえば、第１係止孔６６、第２係止孔６７及び第３係止孔６８が第１区画壁６４に沿って本体６２の長手方向に間隔を空けて設けられている。また、本体６２には、第２区画壁６５に沿って厚み方向に貫通する単数の係止孔６９及び視認部としての複数の確認孔７０，７１が設けられている。具体的にいえば、第４係止孔６９、第１確認孔７０、及び第２確認孔７１は、第２区画壁６５に沿って本体６２の長手方向に間隔を空けて設けられている。各係止孔６６〜６９は、四角状である。また、各確認孔７０，７１は、係止孔６６〜６９と同一形状の係止部７２と、係止部７２に連設されるとともに係止部７２よりも開口面積が大きい確認部７３とを有している。第１係止孔６６と、第４係止孔６９とは区画壁６４，６５を挟んで本体６２の短手方向に隣り合っている。第２係止孔６７と、第１確認孔７０とは区画壁６４，６５を挟んで本体６２の短手方向に隣り合っている。第３係止孔６８と、第２確認孔７１とは区画壁６４，６５を挟んで本体６２の短手方向に隣り合っている。第１係止孔６６と第４係止孔６９、第２係止孔６７と第１確認孔７０の係止部７２、第３係止孔６８と第２確認孔７１の係止部７２とは、それぞれ、本体６２の長手方向に若干ずれて設けられており、そのずれ幅は、柱部材２６，２７に設けられた第１係止爪３１と第２係止爪３２とのずれ幅と同一となっている。
【００３１】
本体６２の厚み方向の面のうち、区画壁６４，６５が設けられた面には、本体６２の厚み方向に突出する突起部７４が設けられている。突起部７４は、各確認孔７０，７１の周辺にそれぞれ１つ設けられている。突起部７４の先端には、ゴムスポンジ７５が設けられている。
【００３２】
図２に示すように、カバー６１の立設部６３は突出壁２８に沿うように設けられている。カバー６１の立設部６３の先端には、凸部２９が位置している。カバー６１は、取付面１５ａと対向している。そして、カバー６１によって取付面１５ａは覆われている。カバー６１の本体６２は、端子収容部２５の周囲に設けられた壁部２５ａ及び柱部材２６，２７に支持されている。第１電池ホルダ２０の係止爪３１，３２は、それぞれ、各係止孔６６〜６９及び各確認孔７０，７１の係止部７２の縁に係止されている。
【００３３】
区画壁６４，６５の先端は、電池セル１１の蓋１５に接している。区画壁６４，６５は、圧力開放弁１７を挟むように設けられており、これにより、各区画壁６４，６５、蓋１５及び本体６２によって電池セル１１から排出される気体が流通する流路８１が区画されている。したがって、各区画壁６４，６５及び本体６２における区画壁６４，６５の間の部分が流路区画部となる。
【００３４】
また、カバー６１の本体６２、電池セル１１の蓋１５、各被覆壁２２，２３、端子収容部２５、柱部材２６，２７及び壁部２５ａによって端子収容領域８２が区画されている。端子収容領域８２には、電池セル１１の端子１６が収容されている。したがって、本体６２における端子収容領域８２と面する部分が収容領域区画部となる。
【００３５】
そして、カバー６１には、電子部品９１が載置される。電子部品９１は、例えば、リレーや制御装置である。カバー６１には、係止爪３１，３２と電子部品９１とが当接しないように、図示しない壁部が本体６２から突出しており、この壁部に電子部品９１が載置される。
【００３６】
サーミスタ５１は、流路８１と、端子収容領域８２との間の領域に設けられている。カバー６１の本体６２に設けられた突起部７４の軸方向の延長上には、サーミスタ５１が位置している。突起部７４とサーミスタ５１との間には、突起部７４からの押し付け力を受けて弾性変形したゴムスポンジ７５が設けられている。ゴムスポンジ７５は、サーミスタ５１を電池セル１１の蓋１５に向けて押しつけている。突起部７４とゴムスポンジ７５とが、サーミスタ５１を電池セル１１に押さえつける押さえ部である。
【００３７】
図７及び図８に示すように、カバー６１は、確認孔７０，７１からサーミスタ５１の取付状態を視認できる位置に設けられている。本実施形態では、基部４２の位置決め面４５とサーミスタ５１との接触部を確認することで、サーミスタ５１の取付状態を確認する。このため、確認孔７０，７１の確認部７３は、位置決め面４５とサーミスタ５１との接触部に対向する位置に設けられている。
【００３８】
サーミスタ５１からは検出線５２が延びており、この検出線５２は制御装置に接続されている。制御装置は、サーミスタ５１によって電池セル１１の温度を監視している。
次に、本実施形態の電池モジュール１０について説明する。
【００３９】
電池モジュール１０にサーミスタ５１を取り付けるときには、サーミスタ５１を位置決め面４５に面接触させることでサーミスタ５１の位置決めを行い、その後、カバー６１を取り付けることでサーミスタ５１を突起部７４及びゴムスポンジ７５によって押さえつける。このとき、カバー６１の取り付けによってサーミスタ５１が位置ずれする場合がある。
【００４０】
カバー６１に確認孔７０，７１を設けて、位置決め面４５とサーミスタ５１との接触部をカバー６１外から視認できるようにすることで、カバー６１の取り付けに際してサーミスタ５１が位置ずれした場合にはそのことを確認することができる。そして、サーミスタ５１に位置ずれが生じている場合には、カバー６１を取り外し、再度サーミスタ５１の位置決めを行う。サーミスタ５１に位置ずれが生じていない場合には、カバー６１に電子部品９１を載置する。カバー６１を取り付けた後には、サーミスタ５１が突起部７４及びゴムスポンジ７５によって押しつけられ、サーミスタ５１に位置ずれが生じることは少なく、電子部品９１で確認孔７０，７１が塞がれても支障は少ない。このため、電子部品９１は、確認孔７０，７１の位置を考慮せずに配置することができる。
【００４１】
また、電池セル１１の圧力開放弁１７から気体が排出されると、気体は流路８１に排出される。このとき、確認孔７０，７１と流路８１とが連通していると、確認孔７０，７１から気体が漏れだし、カバー６１上に配置された電子部品９１が気体に晒されて、電子部品９１の故障の原因となる。同様に、確認孔７０，７１と端子収容領域８２とが連通していると、確認孔７０，７１から端子収容領域８２に異物が侵入し、短絡の原因となるおそれがある。
【００４２】
確認孔７０，７１を流路８１及び端子収容領域８２に連通しないように設けることで、確認孔７０，７１から気体が漏れ出すことが抑制される。更に、確認孔７０，７１から端子収容領域８２に異物が侵入することが抑制される。
【００４３】
また、流路８１に気体が排出されると、流路８１の内圧が高まり、本体６２が厚み方向に反ろうとするが、係止爪３１，３２が係止孔６６〜６９及び確認孔７０，７１の係止部７２の縁に係止することで、本体６２が反りにくい。
【００４４】
したがって、上記実施形態によれば、以下のような効果を得ることができる。
（１）カバー６１には、確認孔７０，７１が設けられているため、カバー６１によってサーミスタ５１が覆われていても、サーミスタ５１の取付状態を確認することができる。このため、カバー６１が取り付けられた際に、サーミスタ５１に位置ずれが生じている場合には、カバー６１を取り外して再度サーミスタ５１を取り付けることができる。したがって、電池セル１１からサーミスタ５１が外れにくく、サーミスタ５１が電池セル１１に取り付けられた状態が維持される。
【００４５】
（２）第２電池ホルダ４０に位置決め面４５を設けて、サーミスタ５１を取り付けるときには、サーミスタ５１と位置決め面４５とが接触するようにしている。このため、サーミスタ５１と位置決め面４５の接触部を確認することで、サーミスタ５１の取付状態を確認することができ、サーミスタ５１の取付状態を確認しやすい。
【００４６】
（３）確認孔７０，７１の確認部７３は、位置決め面４５とサーミスタ５１との接触部に対向する位置に設けられている。このため、位置決め面４５とサーミスタ５１との接触状態を視認しやすくサーミスタ５１の取付状態を容易に確認することができる。
【００４７】
（４）係止孔６６〜６９及び確認孔７０，７１の縁には係止爪３１，３２が係止しているため、カバー６１が電池セル１１から離れる方向や、電池セル１１の並設方向に位置ずれすることが抑制されている。
【００４８】
（５）また、係止孔６６〜６９及び確認孔７０，７１の縁には係止爪３１，３２が係止しているため、流路８１の内圧が高まっても本体６２が反りにくい。このため、区画壁６４，６５と電池セル１１との間に隙間ができにくく、気体が流路８１外に漏れ出しにくい。
【００４９】
（６）第１係止爪３１と第２係止爪３２をずらして配置している。このため、カバー６１が誤った向きで取り付けられることが抑制されている。カバー６１が誤った位置に取り付けられることが抑制されるため、サーミスタ５１を視認できない位置に確認孔７０，７１が位置することが抑制される。
【００５０】
（７）突起部７４とサーミスタ５１との間にはゴムスポンジ７５が設けられており、サーミスタ５１はゴムスポンジ７５によって押さえつけられている。サーミスタ５１を押さえつけるときには、ゴムスポンジ７５が弾性変形するため、サーミスタ５１の寸法公差によって多少の寸法差があってもゴムスポンジ７５の弾性変形によってサーミスタ５１を適切に押さえつけることができる。
【００５１】
（８）視認部をカバー６１に設けられた確認孔７０，７１としているため、カバー６１に視認部を設けやすい。
なお、実施形態は、以下のように変更してもよい。
【００５２】
○実施形態では、位置決め面４５とサーミスタ５１との接触部を確認することで、サーミスタ５１の取付状態を確認したが、ゴムスポンジ７５によってサーミスタ５１が押さえつけられているか否かなど、他の部分からサーミスタ５１の取付状態を確認してもよい。
【００５３】
○確認孔７０，７１は、サーミスタ５１の取付状態を視認することができれば、カバー６１のどのような位置に設けられていてもよい。
○確認孔７０，７１の確認部７３に係止爪３１，３２が係止されていてもよい。
【００５４】
○第１電池ホルダ２０に設けられた第１係止爪３１と、第２係止爪３２とは、各柱部材２６，２７の軸方向にずれて設けられていなくてもよく、各柱部材２６，２７の軸方向において同一位置に設けられていてもよい。
【００５５】
○カバー６１の本体６２の反りを考慮しなくていい場合や、他の部材によって本体６２の反りを抑制できる場合には、電池ホルダ２０，４０に、係止爪３１，３２が設けられていなくてもよい。
【００５６】
○確認孔７０，７１は、流路８１や、端子収容領域８２と連通する位置、すなわち、本体６２の流路区画部及び収容領域区画部に設けられていてもよい。この場合、カバー６１の取り付け後、サーミスタ５１の位置ずれを確認孔７０，７１から確認した後に、カバー６１に載置される電子部品９１などで確認孔７０，７１を閉塞することが好ましい。確認孔７０，７１が流路８１と連通している場合、電子部品９１は流路８１に排出される気体に晒されることとなるため、気体に晒されても影響の少ない部分によって確認孔７０，７１を閉塞することが好ましい。例えば、電子部品９１を構成する基板などで閉塞することで、気体による電子部品９１への影響を抑制することができる。
【００５７】
○押さえ部は、電池ホルダ２０，４０などに設けられていてもよい。
○ゴムスポンジ７５を設けずに突起部７４で直接サーミスタ５１を押さえつけてもよい。
【００５８】
○カバー６１は、複数の部材を連結して構成されていてもよい。
○サーミスタ５１は、電池セル１１のケース本体１４に取り付けられていてもよい。この場合、カバー６１はサーミスタ５１の取付面に合わせて配置する。
【００５９】
○係止孔の数は適宜変更してもよい。また、確認孔の数はサーミスタ５１の数に合わせて適宜変更してもよい。
○視認部は、カバー６１に設けられた切欠でもよい。また、カバー６１が複数の部材によって構成されている場合には、各部材同士の間に区画された隙間などであってもよい。
【００６０】
○視認部は、確認部７３を透明な材料（ガラスなど）で閉塞した構造であってもよい。
○カバー６１は、各電池セル１１の取付面１５ａの全面を覆っていてもよい。また、各電池セル１１の取付面１５ａの一部は、カバー６１によって覆われていなくてもよい。
【符号の説明】
【００６１】
１０…電池モジュール、１１…電池セル、１５ａ…取付面、２０，４０…電池ホルダ、３１，３２…係止爪、４５…位置決め面、５１…サーミスタ、６１…カバー、７０，７１…確認孔、８１…流路、８２…端子収容領域。
【図１】
0006379766.tif 000002
【図２】
0006379766.tif 000003
【図３】
0006379766.tif 000004
【図４】
0006379766.tif 000005
【図５】
0006379766.tif 000006
【図６】
0006379766.tif 000007
【図７】
0006379766.tif 000008
【図８】
0006379766.tif 000009